(57)【要約】  移動端末機を無線ＬＡＮ系統からCDNA2000 1X系統に切り替える方法であって、移動端末は、無線ＬＡＮ系統の信号が弱くなることを検出した時、CDMA2000 1X系統に切り替えを決め、まずCDMA2000 1X系統への発呼を行って、基地局が移動端末のアクセスを許可した後、パケット制御機能ノードによってパケットデータサーバノードとのR-P連結を建てる。パケットデータサーバノードは、当該移動端末のためにCDMA2000 1X系統へのデータ伝送チャンネルを建てる。移動端末とパケットデータサーバノードとの間はパケット制御機能ノードを介してデータ伝送を行うとともに、パケットデータサーバノードは、当該移動端末の無線ＬＡＮ系統で建てられたパケットデータサーバノードと無線アクセスポイントゲートウェーとの間のR-P連結を解放する。本発明では、先に新しいリンクルートをたててから、元のリンクルートを解放する方法を採用し、且つパケットデータサーバノードの不変を保つことによって、無線ＬＡＮ系統とCDMA2000 1X系統との間でシームレス切り替えを実現し、データ伝送の中断なしを保つことができる。
2007507116.tif 000002
【特許請求の範囲】
【請求項１】
移動端末機を無線ＬＡＮ系統からCDMA2000 1X系統に切り替える方法であって、
次のステップ即ち、
移動端末は、無線ＬＡＮ系統の信号が弱くなることまたは失ったことを検出した場合、接続を無線ＬＡＮ系統からCDMA2000 1X系統に切り替える否かを決めて、切り替えであればステップ２を実行し、そうでなければ続けて元の無線ＬＡＮ系統が提供するサービスを利用し、または接続を切断するステップ１と、
移動端末は、CDMA2000 1X系統への発呼を行って、基地局が移動端末のアクセスを許可した後、パケット制御機能ノードがパケットデータサーバノードとのR-P連結を確立するステップ２と、
パケットデータサーバノードは、当該移動端末が切り替えユーザであることを確認した後、当該移動端末のためにCDMA2000 1X系統へのデータ伝送チャンネルを建てるステップ３と、
移動端末とパケットデータサーバノードとの間は、パケット制御機能ノードを介してデータ伝送を行うとともに、パケットデータサーバノードは、当該移動端末が無線ＬＡＮ系統で建てられたパケットデータサーバノードと無線アクセスポイントゲートウェーとの間のR-P連結を解放するステップ４とを含むことを特徴とする。
【請求項２】
請求項１に記載する移動端末機を、無線ＬＡＮ系統からCDMA2000 1X系統に切り替える方法であって、切り替えの過程中、前記移動端末と前記パケットデータサーバノード間のデータ伝送は、無線アクセスポイントゲートウェーを介して転送することを特徴とする。
【請求項３】
請求項１に記載する移動端末機を、無線ＬＡＮ系統からCDMA2000 1X系統に切り替える方法であって、前記ステップ３では、パケットデータサーバノードは、元のリンクルートのPPP連結情報を直接利用し、ポイント・ツー・ポイントのリンクルートの協議をあらためて行わないことを特徴とする。
【請求項４】
移動端末機をCDMA2000 1X系統から無線ＬＡＮ系統に切り替える方法であって、
次のステップ即ち、
移動端末は、無線ＬＡＮ系統の信号を検出した後、無線ＬＡＮのアクセスポイントと接続し、移動端末はCDMA2000 1X系統から無線ＬＡＮ系統に切り替える否かを決め、切り替えであれば、ステップ２を実行し、そうでなければ続けて元のCDMA2000 1X系統が提供するサービスを利用するステップ１と、
移動端末は、無線ＬＡＮ系統へのダイヤルアップ接続を行い、無線アクセスポイントゲートウェーとの接続を建てるステップ２と、
無線アクセスポイントゲートウェーは、移動端末のアクセスを許可した後、無線アクセスポイントゲートウェーとパケットデータサーバノードとの間でR-P連結を建てるステップ３と、
パケットデータサーバノードは、該当移動端末が切り替えユーザであることを確認した後、該当移動端末のために無線ＬＡＮ系統へのデータ伝送チャンネルを建てるステップ４と、
移動端末とパケットデータサーバノードとの間は、無線アクセスポイントゲートウェーを介してデータ伝送を行うとともに、パケットデータサーバノードは、該当移動端末がCDMA2000 1X系統で建てられたパケットデータサーバノードとパケット制御機能ノードとの間のR-P連結を解放するステップ５とを含むことを特徴とする。
【請求項５】
請求項４に記載する移動端末機を、CDMA2000 1X系統から無線ＬＡＮ系統に切り替える方法であって、前記切り替えの過程中に、移動端末とパケットデータサーバノード間のデータ伝送は、パケット制御機能ノードを介して転送することを特徴とする。
【請求項６】
請求項４に記載する移動端末機を、CDMA2000 1X系統から無線ＬＡＮ系統に切り替える方法であって、前記ステップ２において、移動端末は、PPPoE方式を採用し、ダイヤルアップを行うことを特徴とする。
【請求項７】
請求項４に記載する移動端末機を、CDMA2000 1X系統から無線ＬＡＮ系統に切り替える方法であって、前記ステップ３は、さらに、無線アクセスポイントゲートウェーが移動端末のアクセスを許可した後、パケットデータサーバノードにA11登録要求情報を送信し、パケットデータサーバノードが該登録要求情報を受付した後、無線アクセスポイントゲートウェーにA11登録応答情報を返送し、無線アクセスポイントゲートウェーがこの応答情報を受信した後、R-P連結の確立が成功する工程を含むこと特徴とする。
【請求項８】
請求項４に記載する移動端末機を、CDMA2000 1X系統から無線ＬＡＮ系統に切り替える方法であって、前記ステップ４において、パケットデータサーバノードは、元のリンクルートのPPP連結情報を直接利用することを特徴とする。
【発明の詳細な説明】
【発明の詳細な説明】
【０００１】
〔技術分野〕
本発明は、移動端末機を異なる無線通信系統間で切り替える方法に関し、具体的には、CDMA2000 1X系統と無線ＬＡＮ系統（Wireless  LAN、WLANと略称）の間で接続を切り替える方法に関するものである。
【０００２】
〔背景技術〕
符号分割多重接続(Code Division Multiple Access: CDMAと略称)技術はよく使われている周波数拡散技術に基づく多重接続変調技術であって、CDMA2000 1X系統はIS-2000規格に準拠し、CDMA2000 セルラー移動通信技術発展の第一段階として、153.6Kbpsのパケットデータ伝送速度を提供できる。
【０００３】
図１は、CDMA2000 1X系統と無線ＬＡＮ系統を結合するネットワークを示す図である。点線枠外は既存のCDMA2000 1X系統の機能ノードであり、点線枠内はCDMA2000 1X系統を無線ＬＡＮ系統と結合した後、増やした機能ノードである。既存のCDMA2000 1X系統の中に、基地局送受信機１１は地域で無線カバーエリアを構築し、移動端末の通信に用いる。基地局制御装置１２は、各基地局の送受信機に対し制御を行い、パケット制御機能ノードPCFは、通常、基地局制御装置１２に内蔵されて、無線サブシステムとパケットデータサーバノードPDSN１４との間の情報を転送することに用い、パケット制御機能ノードPCFは、A8/A9インターフェースを介し基地局制御装置１２と連結する。パケットデータサーバノードPDSN１４は、CDMA2000 1X系統がインターネットにアクセスするインターフェースである。パケットデータサーバノードPDSN１４とパケット制御機能ノードPCFとの間は標準のR-P（Radio-Packet）インターフェースで、即ちA10/A11インターフェースであり、A10はデータチャンネルで、A11はコントロールチャンネルである。パケットデータサーバノードPDSN１４は、CDMA2000 1X系統のユーザのためにアクセスサービスを提供し、ユーザは、PDSN１４を介し、アクセス認証課金サーバ19、中間認証課金サーバ17と配属認証課金サーバ18によって、認証と課金を行う。
【０００４】
ユーザがパケットデータサービスを要求する時、まずモバイルスイチングセンター１３を介し、配属位置レジスタHLR２０によって身分合法性の認証を行い、合法性認証を通した後、基地局制御装置BSC１２は、PCF１２との間にA8/A9インターフェースを建て、その後、PCF１２が情報をPDSN１４に送信し、PCF１２とPDSN１４の間にR-P連結を建てる。そして、移動端末とPDSN１４との間にPPP連結を建てる。PPP連結が成功した後、シンプル（Simple）IPユーザであれば、直ちにデータ業務を開始できる。移動（Mobile）IPユーザであれば、さらにMIP登録を行い、MIP登録が成功した後、はじめて移動IPのデータ業務を開始できる。ユーザがアクセスする場合、PDSN１４と完全なPPP協議プロセスを行わなければならない。PPPは非同期HDLCのパケットフレーム方式を採用する。
【０００５】
無線ＬＡＮは、コンピュータネットワークと無線通信技術との統合によるもので、無線多重接続チャンネルを利用してコンピュータ間の通信をサポートし、54Mbpsまでの高速データ伝送速度を提供できる。無線ＬＡＮの端末は、通常イーサネット（登録商標）に基づくポイント・ツー・ポイントプロトコル（Point to Point Protocol over Ethernet、PPPoEと略称）またはWeb＋DHCP（Dynamic Host Configuration Protocolの略称：動的ホスト構成議定書）の方式を採用してダイヤルアップを行う。
【０００６】
有線ネットワークと比べて、無線ネットワークＷＬＡＮは、設置簡単、利用便利、コスト節約、拡張容易などの長所を持つため、移動中のネットワーク接続とネットワーク間でローミングする場合に早く応用され、ワイヤ配線しにくい場所及び遠距離のデータ処理、特に展覧会、会議、観光サービス、金融サービス、移動オフィスシステムなどの分野に好適で、ＷＬＡＮが非常に大きな発展チャンスを持つ。無線ネットワークの特徴は、価格が安いことや、ネットワーク構築の柔軟性、工事が簡単であること、無線データの高速アクセスをサポートすることにあり、空港、ホテルなどホットスポットエリアの応用に適合する。
【０００７】
無線ＬＡＮの中において、無線端末は、アクセスポイントAPを介し、固定電信網と接続する。APは、ユーザに無線アクセス機能及びボイスとデータのアクセスサービスを提供し、また802.11と802.3のプロトコル変換を行い、APによって変換されたデータパケットは、イーサネットデータパケットである。しかし、無線ＬＡＮでは端末のアクセスに提供する認証と課金機能は限られて、物理伝送層の認証のみ提供でき、且つエンドユーザに対する課金機能を提供できないため、電信レベルの応用ニーズを満足できず、また無線ＬＡＮのカバー範囲は、ホットスポットエリアだけに限られて、無線ＬＡＮの広汎利用に極めて大きな制限をもたらした。
【０００８】
CDMA系統は、20年近くの発展を経て、最近CDMA2000 1X系統は既に大規模な商業利用を実現し、その認証と課金機能はわりに成熟し完備するだけでなく、カバー範囲も至るところに及んでいる。しかしながら、帯域幅の制限によって、CDMA2000 1X系統のエンドユーザに高速アクセスサービスを提供する能力は限られる。そのために、CDMA2000 1X系統と無線ＬＡＮ系統とを機能的に結合すれば、各自の長所を発揮できる。ところで、二つ系統を結合させるキーポイントは、如何にエンドユーザが両系統の間でシームレス的に切り替えを実現するかにある。今までに、エンドユーザが両系統の間で切り替えをするという技術文献は、知られていない。
【０００９】
〔発明の開示〕
本発明が解決しようとする技術課題は、移動端末機を符号分割多重接続系統と無線ＬＡＮ系統の間で切り替える方法を提供し、移動端末が二つの系統の間でシームレス的に切り替えを実現することにある。
【００１０】
前記技術課題を解決するため、本発明は移動端末機を無線ＬＡＮ系統からCDMA2000 1X系統に切り替える方法を提供し、即ち、次のように、
移動端末は、無線ＬＡＮ系統の信号が弱くなることまたは失ったことを検出した場合、接続を無線ＬＡＮ系統からCDMA2000 1X系統に切り替えるかどうかを決めて、切り替えであればステップ２を実行し、そうでなければ続けて、元の無線ＬＡＮ系統が提供するサービスを利用する、または接続を切断するステップ１と、
移動端末は、CDMA2000 1X系統への発呼を行って、基地局が移動端末のアクセスを許可した後、パケット制御機能ノードがパケットデータサーバノードとのR-P連結を建てるステップ２と、
パケットデータサーバノードは、当該移動端末が切り替えユーザであることを確認した後、当該移動端末のためにCDMA2000 1X系統へのデータ伝送チャンネルを建てるステップ３と、
移動端末とパケットデータサーバノードとの間はパケット制御機能ノードを介し、データ伝送を行うとともに、パケットデータサーバノードは当該移動端末が無線ＬＡＮ系統で建てられたパケットデータサーバノードと無線アクセスポイントゲートウェーとの間のR-P連結を解放するステップ４とを含む。
【００１１】
切り替えの過程中、パケットデータサーバノードと移動端末の間、データ伝送が必要な場合、無線アクセスポイントゲートウェーを介しデータ転送を行う。
【００１２】
前記ステップ３に、パケットデータサーバノードは、元のリンクルートのPPP連結情報を直接利用し、切り替えの過程中、ポイント・ツー・ポイントのリンクルートの協議をあらためて行わない。
【００１３】
また、前記技術課題を解決するため、本発明は、移動端末機をCDMA2000 1X系統から無線ＬＡＮ系統に切り替える方法を提供し、即ち、次のように、
移動端末は、無線ＬＡＮ系統の信号を検出した後、無線ＬＡＮのアクセスポイントと接続し、移動端末はCDMA2000 1X系統から無線ＬＡＮ系統に切り替えるかどうかを決めて、切り替えであれば、ステップ２を実行し、そうでなければ、続けて元のCDMA2000 1X系統が提供するサービスを利用するステップ１と、
移動端末は、無線ＬＡＮ系統へのダイヤルアップ接続を行い、無線アクセスポイントゲートウェーとの接続を建てるステップ２と、
無線アクセスポイントゲートウェーは、移動端末のアクセスを許可した後、無線アクセスポイントゲートウェーとパケットデータサーバノードとの間でR-P連結を建てるステップ３と、
パケットデータサーバノードは、該当移動端末が切り替えユーザであることを確認した後、該当移動端末のために無線ＬＡＮ系統へのデータ伝送チャンネルを建てるステップ４と、
移動端末とパケットデータサーバノードとの間は無線アクセスポイントゲートウェーを介して、データ伝送を行うとともに、パケットデータサーバノードは該当移動端末のCDMA2000 1X系統で建てられたパケットデータサーバノードとパケット制御機能ノードとの間のR-P連結を解放するステップ５とを含む。
【００１４】
前記切り替えの工程に、パケットデータサーバノードと移動端末と間のデータ伝送が必要な場合、パケット制御機能ノードを介してデータを転送する。
【００１５】
前記ステップ２に、移動端末は、PPPoE方式を採用してダイヤルアップを行う。
【００１６】
前記ステップ３に、さらに無線アクセスポイントゲートウェーが移動端末のアクセスを許可した後、パケットデータサーバノードにA11登録要求情報を送信し、パケットデータサーバノードが該登録要求情報を受付した後、無線アクセスポイントゲートウェーにA11登録応答情報を返送し、無線アクセスポイントゲートウェーがこの応答情報を受信した後、R-P連結の確立が成功する。
【００１７】
前記ステップ４にパケットデータサーバノードが元のリンクルートのPPP連結情報を直接利用する。
【００１８】
上述のように、本発明の切り替え方法は、切り替え過程に、先に新しいリンクルートをたててから、元のリンクルートを解放する方法を採用し、且つ切り替え過程にパケットデータサーバノードは変わらず、移動端末とポイント・ツー・ポイントのリンクルートの協議をあらためて行わないことによって、CDMA2000 1X系統と無線ＬＡＮ系統の間で切り替えを行うときに、移動端末のデータ伝送を中断なしに保つことができ、且つ切り替え過程の相互のシグナリングを最小にさせ、CDMA2000 1X系統の広いカバーエリアと無線ＬＡＮの高速データ伝送の特徴を充分に利用するようにユーザにデータサービスを提供する。エンドユーザのCDMA2000 1X系統と無線ＬＡＮ系統との間のシームレス切り替えを実現し、CDMA2000 1X系統と無線ＬＡＮ系統とを有機的に統合できる。
【００１９】
〔図面の簡単な説明〕
図１は、CDMA2000 1X系統と無線ＬＡＮ系統を結合するネットワーク構造図である。
【００２０】
図２は、本発明の移動端末を無線ＬＡＮ系統からCDMA2000 1X系統に切り替える流れを示す図である。
【００２１】
図３は、本発明の移動端末をCDMA2000 1X系統から無線ＬＡＮ系統系統に切り替える流れを示す図である。
〔発明を実施する最良の形態〕
以下、本発明の図面と実施例を参照しつつ、本発明の具体的態様についてさらに詳しく説明する。
【００２２】
本発明の切り替え方法は、図1に示すCDMA2000 1X系統と無線ＬＡＮ系統とを結合するネットワークに適用される。図1において、点線枠外は、CDMA2000 1X系統の機能ノードであり、点線枠内はCDMA2000 1X系統を無線ＬＡＮ機能と結合した後、増やした機能ノードである。背景技術において、CDMA2000 1X系統の主要機能ノードについて説明したが、次に本発明に関わる主要機能ノードをさらに説明する。
【００２３】
パケット制御機能ノードPCF１２は、主に空の無線インターフェースとパケットデータサーバノードPDSN１４との連結を実現する。
【００２４】
パケットデータサーバノードPDSN１４は、CDMA2000 1X系統及び無線ＬＡＮ系統の端末機のアクセスを実現することに用い、CDMA2000 1X系統及び無線ＬＡＮ系統に二種類のアクセス方式、つまりシンプルIPサービスと移動IPサービスとを提供すると同時に、端末のPPP連結情報を保存する。また、移動端末が無線ＬＡＮ系統とCDMA2000 1X系統との間で切り替えるとき、パケットデータサーバノードPDSN１４は現在の移動端末が切り替えユーザであるかどうかを識別することに用い、つまり切り替えを要求する端末機は、無線ＬＡＮ系統とCDMA2000 1X系統へのアクセス権限を同時に持つかどうかを判断し、切り替えユーザであれば、それに相応なデータ伝送チャンネルを開通する。
【００２５】
アクセスポイント（Access Point APと略称）１６は、無線ＬＡＮ信号を有線ネットワークの伝送信号に変換し、また無線ユーザに対する簡単な管理と無線チャンネルのダイナミック配分を実現することに用いる。
【００２６】
無線アクセスポイントゲートウェー（Access Point Gateway APGWと略称）１５は、主に無線ＬＡＮ端末データの第三層カプセル化（つまりAPによって変換されたイーサネットデータパケットをIPパケットにカプセルする）及びカプセル化を解き、また無線ＬＡＮ端末データをパケットデータサーバノードPDSN１４に転送し、またはパケットデータサーバノードPDSN１４から送ってきたデータを無線ＬＡＮ端末に転送することに用いる。
【００２７】
パケット制御機能ノード１２とパケットデータサーバノード１４との間、無線アクセスポイントゲートウェー１５とパケットデータサーバノード１４との間のインターフェースは、ともに標準のR-Pインターフェースである。
【００２８】
無線ＬＡＮの端末機のパケットデータサーバノード１４へのアクセスは、PPPoEのダイヤルアップ方式を採用する。PPPoEのダイヤルアップ接続は、二段階の協議に分けて、つまり発見段階と会話段階、発見段階は、サービスを提供するノードつまり無線アクセスポイントゲートウェー１５を見つけるためであり、会話段階は、端末とパケットデータサーバノード１４間のポイント・ツー・ポイントのリンクルート協議を実現する。
【００２９】
移動端末にとって、CDMA2000 1X系統と無線ＬＡＮ系統の間でシームレス切り替えを実現するには、二つの独立エアインターフェースが必要で、CDMA2000 1X系統にも接続できれば、無線ＬＡＮ系統にも接続でき、且つ両系統の間で自主的に切り替え機能を持ち、例えば、移動端末は無線ＬＡＮ系統の信号が一定程度に弱くなった、または検出できなかった場合、CDMA2000 1X系統へのアクセス発呼を行い、または移動端末が無線ＬＡＮ系統のカバーエリアに到着した後、自動的に無線ＬＡＮ系統に接続する。同時に移動ユーザは２つの系統へのアクセス権限をもつべきである。
【００３０】
現在、無線ＬＡＮ系統のカバー範囲は、ホットスポット地域に限られたので、移動端末がアクセスポイントから遠く離れると、データ伝送のフレームエラー率が高くなり、且つ伝送効率が著しく降下する。この場合、移動端末を無線ＬＡＮ系統からCDMA2000 1X系統へ自動的に切り替える必要がある。
【００３１】
また、移動端末が無線ＬＡＮを通し、系統にアクセスしたあとでも、無線ＬＡＮ信号の強度を常に検出しなければならない。もし無線ＬＡＮ信号が、わりに弱い、または検出できなかった場合、移動端末は、一定の基準、例えば予め決めた信号強度の閾値または予め決めた切り替え基準に基づき、無線ＬＡＮ系統からCDMA2000 1X系統に切り替えを決める。
【００３２】
上記からわかるように、機能とネットワーク構造については、CDMA2000 1X系統中にPCF１２とPDSN１４の間のリンク方式と、WLAN系統中にAPGW１５とPDSN１４の間のリンク方式とには共通点がある。PCF１２とAPGW１５とは、ともに無線と有線の間の変換インターフェースであり、ただ無線側での処理プロトコルが違うだけで、つまりPPP連結をたてるとき、PPP協議のプロセスを完成しなければならないが、無線ＬＡＮ系統ではPPPoEプロトコルを採用し、CDMA2000 1X系統では非同期HDLCカプセル化のPPPプロトコルを採用する。PPPoEの第二段階のPPP会話段階は、非同期HDLCカプセル化のPPPプロトコルとまったく同じで、且つ両者のユーザ情報もほぼ一致している。そのため、PDSN１４の既存機能を基に、無線ＬＡＮユーザのアクセス機能を追加することは、PCF１２とAPGW１５のアクセスを同時にサポートできる。また、ユーザのPPP接続情報はPDSN１４に保存されているので、これは移動端末がＷＬＡＮ系統とCDMA2000 1X系統の間でシームレス切り替えることに可能性を提供した。
【００３３】
図2は、移動端末が無線ＬＡＮ系統にアクセス及び無線ＬＡＮ系統からCDMA2000 1X系統に切り替えの実施例である。切り替えの過程にパケットデータサーバノード１４は変わらない。
【００３４】
移動端末が無線ＬＡＮ系統にアクセスする手順は次のとおりである。移動端末が無線アクセスポイントAPとの連結を建てる（ステップ２０１）。無線ＬＡＮのエアチャンネルが立てられた後、移動端末がPPPoE方式でダイヤルアップし、無線アクセスポイントゲートウェーAPGWとの間、PPPoEの発見段階の協議（ステップ２０２）を行う。無線アクセスポイントゲートウェーが移動端末のアクセスを許可した後、パケットデータサーバノードにA11登録要求情報を送信し、パケットデータサーバノードに該登録要求情報を受付した後、無線アクセスポイントゲートウェーにA11登録応答情報を返送し、無線アクセスポイントゲートウェーがこの応答情報を受信した後、R-P連結の確立が成功する（ステップ２０３）。無線アクセスポイントゲートウェーとパケットデータサーバノードとのR-P連結が成功した後、移動端末とパケットデータサーバノードとの間、ポイント・ツー・ポイントのPPPリンク協議を行う。PPPリンクを建てる過程に、シンプルIPユーザであれば、パケットデータサーバノードは該移動端末にIPアドレスを割り当て、移動IPユーザであれば、さらにMIP登録を行う必要である（ステップ２０４）。移動端末とパケットデータサーバノードとの間のPPPリンクが成功（移動IPユーザにとって、そのMIP登録も成功）したあと、パケットデータサーバノードは移動端末にデータ伝送サービスを提供しはじめる（ステップ２０５）。
【００３５】
移動端末は、常に無線ＬＡＮ信号を検出し、無線ＬＡＮ系統の信号が予め決めた切り替え閾値まで弱くなる場合、移動端末は、次のように無線ＬＡＮ系統からCDMA2000 1X系統への切り替え手順を実行する。移動端末は、CDMA2000 1X系統へのアクセス発呼を行う（ステップ２０６）。基地局は、移動端末のアクセスを許可したあと、パケット制御機能ノードとパケットデータサーバノードとの間で、R-P連結を立てる（ステップ２０７）。パケット制御機能ノードとパケットデータサーバノードとの間のR-P連結が成功したあと、パケットデータサーバノードは、該ユーザが切り替えユーザつまりパケットデータサーバノードとリンクルートを既に確立したユーザであることを確認してから、移動端末とパケットデータサーバノードとの間は、パケット制御機能ノードを介してデータ伝送を行う（ステップ２０８）。最後に、パケットデータサーバノードは、無線アクセスポイントゲートウェーとパケットデータサーバノードとの間のR-P連結を解放する（ステップ２０９）。
【００３６】
上記手順によって、移動端末が無線ＬＡＮ系統との接続からCDMA2000 1X系統への切り替え過程を完了する。切り替え過程中、先に新しいリンクルートを建て、それから元のリンクルートを解放する方法を採用し、且つ切り替え過程にパケットデータサーバノードは変わらないで、ポイント・ツー・ポイントのPPPプロトコルの協議をあらためて行わないので、ユーザのデータを中断なしで伝送することを確保でき、シームレスの連結を実現した。
【００３７】
同様に、移動端末はCDMA2000 1X系統にアクセスした後でも、常に無線ＬＡＮの信号を検出し、もし無線ＬＡＮの信号を検出すると、一定の基準、例えば予め決めた信号強度閾値または切り替え基準に基づき、CDMA2000 1X系統から無線ＬＡＮ系統への切り替えを行う。
【００３８】
図３は、移動端末がCDMA2000 1X系統にアクセス及びCDMA2000 1X系統から無線ＬＡＮ系統に切り替えの実施例である。切り替えの過程に、パケットデータサーバノードは変わらない。
【００３９】
移動端末がCDMA2000 1X系統にアクセスする手順を以下に述べる。移動端末は、CDMA2000 1X系統へのダイヤル発呼を行う（ステップ３０１）。パケット制御機能ノードとパケットデータサーバノードとの間で、R-P連結を立てる（ステップ３０２）。そして、移動端末とパケットデータサーバノードとの間でポイント・ツー・ポイントのPPPリンク協議を行う（ステップ３０３）。移動端末とパケットデータサービスノードとの間のPPPリンクルートの確立が成功した後、パケットデータサーバノードは、移動端末にデータ伝送サービスを提供する。
【００４０】
移動端末が無線ＬＡＮ信号を検出した場合、移動端末と無線アクセスポイントとの間でリンクを確立する（ステップ３０５）。移動端末は、一定の基準に基づいて切り替えが必要かどうかを選択する。移動端末がCDMA2000 1X系統から無線ＬＡＮ系統に切り替えを決めた時、PPPoEダイヤルアップを行い、無線アクセスポイントゲートウェーとPPPoEの発見段階の協議を行う（ステップ３０６）。無線アクセスポイントゲートウェーが移動端末のアクセスを許可した後、パケットデータサーバノードにA11登録要求情報を送信し、パケットデータサーバノードが該登録要求情報を受付した後、無線アクセスポイントゲートウェーにA11登録応答情報を返送し、無線アクセスポイントゲートウェーがこの応答情報を受信した後、R-P連結が成功する（ステップ３０７）。そして、パケットデータサーバノードは、該移動端末が切り替えユーザであることを確認し、移動端末とパケットデータサーバノードとの間は、無線アクセスポイントゲートウェーを介してデータ伝送を行う（ステップ３０８）。同時に、パケットデータサーバノードは、パケット制御機能ノードとパケットデータサーバノードとの間のR-P連結を解放する（ステップ３０９）。
【００４１】
上記手順によって、移動端末がCDMA2000 1X系統へのアクセス及び無線ＬＡＮ系統に切り替える過程を完成することができる。切り替え過程において、同じように先に新しいリンクルートを立ててから、元のリンクルートを解放する方法を採用し、且つ切り替え過程にポイント・ツー・ポイントのPPPの協議をあらためて行わないで、ユーザデータの伝送はやはり中断しない。
【００４２】
ＷＬＡＮ系統とCDMA2000 1X系統の中において、ユーザの身分は唯一なので、これでユーザは、ＷＬＡＮモードでも、CDMA2000 1X系統のNAIまたはMSIDを使って認証と課金を行うことができる。
【００４３】
上述のように、本発明による移動端末をCDMA2000 1X系統と無線ＬＡＮ系統との間における切り替え方法は、無線アクセスポイントゲートウェーAPGWを介し、標準なR-Pインターフェースとパケットデータサーバノードの切り替え機能を利用して、両系統の間のシームレス切り替えを実現でき、CDMA2000 1X系統と無線ＬＡＮ系統との有機統合を達成できる。本発明による切り替え方法は、CDMA2000 1X  EV-DO、CDMA2000 1X  EV-DVと無線ＬＡＮ系統の間の切り替えに適用する。
【００４４】
最後に、上記の実施例は、本発明の技術案を説明するために用いる例であって、制限的なものではないと考えるべきである。当業者は、本発明の技術案に対して修正または同等な変更を行えるが、本発明の技術案の基本原則と請求範囲を離脱しない限り、本発明の請求の範囲内に含められることは言うまでもない。
【図面の簡単な説明】
【００４５】
【図１】CDMA2000 1X系統と無線ＬＡＮ系統とを結合するネットワーク構造図である。
【図２】本発明の移動端末を無線ＬＡＮ系統からCDMA2000 1X系統に切り替える流れを示す図である。
【図３】本発明の移動端末をCDMA2000 1X系統から無線ＬＡＮ系統系統に切り替える流れを示す図である。
【図１】
2007507116.tif 000003
【図２】
2007507116.tif 000004
【図３】
2007507116.tif 000005
【国際調査報告】
2007507116.tif 000006
2007507116.tif 000007
2007507116.tif 000008
2007507116.tif 000009
2007507116.tif 000010
2007507116.tif 000011